【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
記録媒体に画像を形成する際の好適な最大色材打込み量を判定するためのカラーチャートを生成する画像処理装置において、
カラーチャートを生成するための画像データの中で、印字部分と非印字部分の夫々が占める面積が同一又はほぼ同一であり、前記印字部分と非印字部分との境界線の長さが互いに異なる複数の画像データを記憶する記憶手段と、
前記複数の画像データを一単位として、一単位毎に色材の打込み量が段階的に異なるように前記複数の画像データを配列したカラーチャートを生成する生成手段と、
前記生成手段で生成されたカラーチャートを出力する出力手段と、
を備えることを特徴とする画像処理装置。
【請求項２】
前記生成手段は、ユーザにより指定された、印刷対象、印刷用紙種別、プリンタの解像度のいずれか１つを含む印刷環境の設定に応じて前記画像データを生成する画像データ生成手段を含み、
前記記憶手段は、前記画像データ生成手段によって生成された画像データを記憶することを特徴とする請求項１記載の画像処理装置。
【請求項３】
前記出力手段により出力された前記カラーチャートを印字した記録媒体を見てユーザが最大打込み量を指示可能なように、所定の面積に対する複数の色材の最大打込み量を入力するための入力画面を表示する表示制御手段と、
画像処理時の色材の打込み量を最大打込み量に制御すべく、前記表示制御手段により表示された入力画面を介して入力された色材の最大打込み量を、印刷用ドライバが参照する記憶領域に書き込む書き込み手段と、
を更に備えることを特徴とする請求項１又は２記載の画像処理装置。
【請求項４】
前記表示制御手段は、各色材毎の最大打込み量をユーザが入力するための入力画面を表示することを特徴とする請求項３記載の画像処理装置。
【請求項５】
前記出力手段によって出力された前記カラーチャートを印字した記録媒体を、前記画像処理装置と通信可能に接続された読取装置によって測定された、前記一単位毎に色材の打込み量が段階的に異なるように配列された画像データの夫々の濃度を入力し、該入力された一単位内の複数の画像データの濃度を比較する濃度比較手段と、
前記濃度比較手段により、前記一単位内の複数の画像データ間で、所定の濃度差が生じた一単位の直前における色材の打込み量を、色材の最大打込み量と決定する第１の決定手段と、
を更に備えることを特徴とする請求項１乃至４のいずれか１項に記載の画像処理装置。
【請求項６】
前記出力手段によって出力された前記カラーチャートを印字した記録媒体を、前記画像処理装置と通信可能に接続された読取装置によって読み取ることにより得られた、前記一単位毎に色材の打込み量が段階的に異なるように配列された画像データの夫々の信号値を算出する算出手段と、
前記算出手段により算出された一単位内の複数の画像データの信号値を比較する信号値比較手段と、
前記信号値比較手段により、前記一単位内の複数の画像データ間で、前記信号値に所定の差が生じた一単位の直前における色材の打込み量を、色材の最大打込み量と決定する第２の決定手段と、
を更に備えることを特徴とする請求項１乃至５のいずれか１項に記載の画像処理装置。
【請求項７】
記録媒体に画像を形成する際の好適な最大色材打込み量を判定するためのカラーチャートを生成する画像処理装置に適用される画像処理方法であって、
カラーチャートを生成するための画像データの中で、印字部分と非印字部分の夫々が占める面積が同一又はほぼ同一であり、前記印字部分と非印字部分との境界線の長さが互いに異なる複数の画像データを記憶する記憶ステップと、
前記複数の画像データを一単位として、一単位毎に色材の打込み量が段階的に異なるように前記複数の画像データを配列したカラーチャートを生成する生成ステップと、
前記生成ステップで生成されたカラーチャートを出力する出力ステップと、
を有することを特徴とする画像処理方法。
【請求項８】
前記生成ステップは、ユーザにより指定された、印刷対象、印刷用紙種別及びプリンタの解像度のいずれか１つを含む印刷環境の設定に応じて前記画像データを生成する画像データ生成ステップを含み、
前記記憶ステップは、前記画像データ生成ステップによって生成された画像データを記憶することを特徴とする請求項７記載の画像処理方法。
【請求項９】
前記出力ステップにより出力された前記カラーチャートを印字した記録媒体を見てユーザが最大打込み量を指示可能なように、所定の面積に対する複数の色材の最大打込み量を入力するための入力画面を表示する表示制御ステップと、
画像処理時の色材の打込み量を最大打込み量に制御すべく、前記表示制御ステップにより表示された入力画面を介して入力された色材の最大打込み量を、印刷用ドライバが参照する記憶領域に書き込む書き込みステップと、
を更に備えることを特徴とする請求項７又は８記載の画像処理方法。
【請求項１０】
前記表示制御ステップは、各色材毎の最大打込み量をユーザが入力するための入力画面を表示することを特徴とする請求項９記載の画像処理方法。
【請求項１１】
前記出力ステップによって出力された前記カラーチャートを印字した記録媒体を、前記画像処理装置と通信可能に接続された読取装置によって測定された、前記一単位毎に色材の打込み量が段階的に異なるように配列された画像データのそれぞれの濃度を入力し、該入力された一単位内の複数の画像データの濃度を比較する濃度比較ステップと、
前記濃度比較ステップにより、前記一単位内の複数の画像データ間で、所定の濃度差が生じた一単位の直前における色材の打込み量を、色材の最大打込み量と決定する第１の決定ステップと、
を更に備えることを特徴とする請求項７乃至１０のいずれか１項に記載の画像処理方法。
【請求項１２】
前記出力ステップによって出力された前記カラーチャートを印字した記録媒体を、前記画像処理装置と通信可能に接続された読取装置によって読み取ることにより得られた、前記一単位毎に色材の打込み量が段階的に異なるように配列された画像データのそれぞれの信号値を算出する算出ステップと、
前記算出ステップにより算出された一単位内の複数の画像データの信号値を比較する信号値比較ステップと、
前記信号値比較ステップにより、前記一単位内の複数の画像データ間で、前記信号値に所定の差が生じた一単位の直前における色材の打込み量を、色材の最大打込み量と決定する第２の決定ステップと、
を更に有することを特徴とする請求項７乃至１１のいずれか１項に記載の画像処理装置。
【請求項１３】
記録媒体に画像を形成する際の好適な最大色材打込み量を判定するためのカラーチャートを生成する画像処理装置に適用される画像処理方法をコンピュータに実行させるためのプログラムであって、前記画像処理方法は、
カラーチャートを生成するための画像データの中で、印字部分と非印字部分のそれぞれが占める面積が同一又はほぼ同一であり、前記印字部分と非印字部分との境界線の長さが互いに異なる複数の画像データを記憶する記憶ステップと、
前記複数の画像データを一単位として、一単位毎に色材の打込み量が段階的に異なるように前記複数の画像データを配列したカラーチャートを生成する生成ステップと、
前記生成ステップで生成されたカラーチャートを出力する出力ステップと、
を有することを特徴とするプログラム。
【手続補正２】
【補正対象書類名】明細書
【補正対象項目名】発明の名称
【補正方法】変更
【補正の内容】
【発明の名称】画像処理装置、画像処理方法及び該方法を実行させるためのプログラム
【手続補正３】
【補正対象書類名】明細書
【補正対象項目名】０００１
【補正方法】変更
【補正の内容】
【０００１】
本発明は、インクジェット方式や電子写真方式等を用いて記録媒体に画像を形成する画像処理装置、画像処理方法及びプログラムに関し、特に、カラー印刷を実行する際の色材の最大打込み量を設定する画像処理装置、画像形成方法及びプログラムに関する。
【手続補正４】
【補正対象書類名】明細書
【補正対象項目名】０００７
【補正方法】変更
【補正の内容】
【０００７】
本発明の目的は、適する最大打込み量の判定の際に基準となる画像データの配列を設けることにより、適する最大打込み量を容易に判定することができるカラーチャートを出力することができる画像処理装置、画像処理方法及びプログラムを提供することにある。
【手続補正５】
【補正対象書類名】明細書
【補正対象項目名】０００８
【補正方法】変更
【補正の内容】
【０００８】
上記目的を達成するために、本発明に係る画像処理装置は、記録媒体に画像を形成する際の好適な最大色材打込み量を判定するためのカラーチャートを生成する画像処理装置において、カラーチャートを生成するための画像データの中で、印字部分と非印字部分の夫々が占める面積が同一又はほぼ同一であり、前記印字部分と非印字部分との境界線の長さが互いに異なる複数の画像データを記憶する記憶手段と、前記複数の画像データを一単位として、一単位毎に色材の打込み量が段階的に異なるように前記複数の画像データを配列したカラーチャートを生成する生成手段と、前記生成手段で生成されたカラーチャートを出力する出力手段とを備えることを特徴とする。
【手続補正６】
【補正対象書類名】明細書
【補正対象項目名】０００９
【補正方法】変更
【補正の内容】
【０００９】
本発明によれば、適する最大打込み量の判定の際に基準となる画像データの配列を設けることにより、適する最大打込み量を容易に判定することができる。
【手続補正７】
【補正対象書類名】明細書
【補正対象項目名】００１１
【補正方法】変更
【補正の内容】
【００１１】
図１は、本発明の実施の形態に係る画像処理装置を備える画像形成システムの構成を概略的に示すブロック図である。
【手続補正８】
【補正対象書類名】明細書
【補正対象項目名】００１２
【補正方法】変更
【補正の内容】
【００１２】
図１において、画像形成システムは、画像処理装置１００、読取装置１１０、操作部１０７、プリンタ１０８、及び表示装置１０９で構成される。
【手続補正９】
【補正対象書類名】明細書
【補正対象項目名】００１４
【補正方法】変更
【補正の内容】
【００１４】
図２は、図１の画像処理装置により実行される画像処理を説明するフローチャートである。尚、本画像処理はＣＰＵ１０１により実行される。
【手続補正１０】
【補正対象書類名】明細書
【補正対象項目名】００６２
【補正方法】変更
【補正の内容】
【００６２】
【図１】本発明の実施の形態に係る画像処理装置を備える画像形成システムの構成を概略的に示すブロック図である。
【図２】図１の画像処理装置により実行される画像処理を説明するフローチャートである。
【図３】ステップＳ２００で表示装置上に表示される画面の一例を示す図であり、（ａ）は、優先項目を表示する画面であり、（ｂ）は印刷用紙種別を表示する画面である。
【図４】パッチ群を構成する２種類のパッチを示す図であり、（ａ）は第１のパッチであり、（ｂ）は、第２のパッチである。尚、図４（ａ）及び図４（ｂ）のうち、黒塗り部分は印字部分を示す。
【図５】ステップＳ２０１で生成されたカラーチャート画像を示す図である。
【図６】ステップＳ２０３で表示装置上に表示される画面の一例を示す図である。
【図７】ステップＳ２１１で表示装置上に表示される検査結果入力画面を示す図である。
【図８】ステップＳ２０２で出力されたカラーチャートの１つのパッチ群を示す図であり、（ａ）は第１のパッチであり、（ｂ）は第２のパッチである。尚、図８（ａ）及び（ｂ）に示すパッチは夫々図４（ａ）の第１のパッチ及び図４（ｂ）の第２のパッチに対応している。
【図９】パッチの信号値の算出の説明に用いられる図である。
【図１０】行（I）及び行（II）における各打込み量に対する信号値を示す図である。
【図１１】行（I）及び行（II）における各打込み量に対する濃度を示す図である。
【図１２】所望のカラーチャートを生成する際に用いられる入力画面を示す図である。